(57)【要約】【課題】ユーザが操作することなしでディスプレイを適切な角度に調整することのできるシートバックディスプレイ角度制御装置を提供する【解決手段】制御部１９は、記憶部１７に記憶されたテーブル情報を参照して、前席シート位置検出部１１が検出したスライド位置Ａと、前席シート傾斜角度検出部１２が検出した傾斜角度Ｂと、後席シート位置検出部１３が検出したスライド位置Ｃと、後席シート傾斜角度検出部１４が検出した傾斜角度Ｄと、ヘッドレスト位置検出部１５が検出したスライド位置Ｅと、ヘッドレスト角度検出部１６が検出した傾斜角度Ｆとに対応する調整角度を決定する。制御部１９は、この調整角度により、ディスプレイ角度調整機構２０にディスプレイの角度を調整させる。【選択図】図１
2011020538.tif 000002
【特許請求の範囲】
【請求項１】
前席のシート位置を検出する前席シート位置検出部と、
前席のシート傾斜角度を検出する前席シート傾斜角度検出部と、
前席後部に設けたディスプレイの角度を調整するディスプレイ角度調整機構と、
前記ディスプレイ角度調整機構の調整角度を自動的に制御する制御部とを備え、
前記制御部は、前記前席シート位置検出部と前記前席シート傾斜角度検出部の検出結果に基づき前記ディスプレイ角度調整機構の調整角度を制御することを特徴とするシートバックディスプレイ角度制御装置。
【請求項２】
後席のシート位置を検出する後席シート位置検出部と、
後席のシート傾斜角度を検出する後席シート傾斜角度検出部とをさらに備え、
前記制御部は、さらに前記後席シート位置検出部と前記後席シート傾斜角度検出部の検出結果に基づいて前記ディスプレイ角度調整機構の調整角度を制御することを特徴とする請求項１記載のシートバックディスプレイ角度制御装置。
【請求項３】
前席のヘッドレストの位置を検出するヘッドレスト位置検出部と、
前席のヘッドレストの傾斜角度を検出するヘッドレスト角度検出部とをさらに備え、
前記制御部は、さらに前記ヘッドレスト位置検出部と前記ヘッドレスト角度検出部の検出結果に基づいて前記ディスプレイ角度調整機構の調整角度を制御することを特徴とする請求項２記載のシートバックディスプレイ角度制御装置。
【請求項４】
後席シートベルトの着用有無を検出するシートベルト着用検出部をさらに備え、
前記制御部は、前記シートベルト着用検出部の検出結果に基づいて前記ディスプレイ角度調整機構を制御することを特徴とする請求項１記載のシートバックディスプレイ角度制御装置。
【請求項５】
パーキングブレーキの作動状態を検出するパーキングブレーキ検出部をさらに備え、
前記制御部は、さらに前記パーキングブレーキ検出部の検出結果に基づいて前記ディスプレイ角度調整機構を制御することを特徴とする請求項４記載のシートバックディスプレイ角度制御装置。
【請求項６】
前記パーキングブレーキ検出部がパーキングブレーキの解除を検出し、かつ、前記シートベルト着用検出部が後席シートベルトの不着用を検出した場合、
前記制御部は、一定期間経過後に前記ディスプレイ角度調整機構によって角度調整されるディスプレイへの電力供給を遮断することを特徴とする請求項５記載のシートバックディスプレイ角度制御装置。
【発明の詳細な説明】
【技術分野】
【０００１】
本発明は、自動車の前席シートバックに取り付けられたディスプレイの角度を後部座席乗員にとって映像を見易い角度に調整するシートバックディスプレイ角度制御装置に関するものである。
【背景技術】
【０００２】
従来のシートバックディスプレイ角度制御装置は、ディスプレイの取付部材（例えば、前席の背もたれ、ヘッドレスト等）が傾斜した場合にこの傾斜角度を検知し、この傾斜角度がユーザの操作入力により設定した初期設定角度と異なるときにディスプレイを初期設定角度に自動的に調整していた（例えば特許文献１参照）。
【先行技術文献】
【特許文献】
【０００３】
【特許文献１】特開２００７−２５３８０７号公報（図２）
【発明の概要】
【発明が解決しようとする課題】
【０００４】
しかしながら、従来のシートバックディスプレイ角度制御装置においては、前席の傾斜角度のみを考慮しているにすぎないため、前席や後席のシート位置等によっては後席シートの乗員にとって映像が見づらいという問題があった。さらに従来のシートバックディスプレイ角度制御装置においては、前席や後席のシートの位置、傾斜角度等がどのように変化しても常に初期設定角度に調整するにすぎないため、前席や後席のシートの位置、傾斜角度によっては、後席シートの乗員にとって映像が見づらいという問題があった。そして、このような場合、ユーザは依然としてディスプレイの角度調整を手動で行わなければならないという問題があった。
【０００５】
本発明は、従来の問題を解決するためになされたもので、ユーザが操作することなしでディスプレイを適切な角度に調整することのできるシートバックディスプレイ角度制御装置を提供することを目的とする。
【課題を解決するための手段】
【０００６】
本発明のシートバックディスプレイ角度制御装置は、制御部が前席シート位置検出部と前席シート傾斜角度検出部の検出結果に基づきディスプレイ角度調整機構の調整角度を制御することを特徴とする。
【発明の効果】
【０００７】
本発明によれば、前席のシート位置及びシート傾斜角度が変更された場合においても、ユーザの操作なしでディスプレイの角度を後部座席の乗員にとって映像を見易い角度にすることが可能なシートバックディスプレイ角度制御装置を提供することができる。
【図面の簡単な説明】
【０００８】
【図１】本発明の第１の実施の形態におけるシートバックディスプレイ角度制御装置のブロック図
【図２】本発明の第１の実施の形態におけるシートバックディスプレイ角度制御装置の動作を説明するフローチャート図
【図３】本発明の第２の実施の形態におけるシートバックディスプレイ角度制御装置の構成を示すブロック図
【図４】本発明の第２の実施の形態におけるシートバックディスプレイ角度制御装置の動作を説明するフローチャート図
【発明を実施するための形態】
【０００９】
本発明の実施の形態について説明する。
（第１の実施の形態）
本発明の第１の実施の形態におけるシートバックディスプレイ角度制御装置について、図面を用いて説明する。
【００１０】
図１は、発明の第１の実施の形態における要部であるシートバックディスプレイ角度制御装置のブロック図である。
【００１１】
図１に示すように、シートバックディスプレイ角度制御装置１は、前席シート位置検出部１１と、前席シート傾斜角度検出部１２と、後席シート位置検出部１３と、後席シート傾斜角度検出部１４と、ヘッドレスト位置検出部１５と、ヘッドレスト傾斜角度検出部１６と、記憶部１７と、設定操作部１８と、制御部１９と、ディスプレイ角度調整機構２０とを備える。
【００１２】
前席シート位置検出部１１は、前席シートについてあらかじめ設定された初期位置から前後にスライドした移動距離を示すスライド位置Ａを検出するセンサで構成される。本実施の形態スライド位置Ａでは、あらかじめ設定された初期位置から前方にスライドした場合の位置が負の値として、後方にスライドした場合の位置が正の値として規定されている。前席シート位置検出部１１は、制御部１９に接続する。前席シート位置検出部１１は、検出した前席シートのスライド位置Ａのデータを制御部１９に出力する。
【００１３】
前席シート傾斜角度検出部１２は、前席シートの背もたれを倒す前の初期位置から後方に倒したときの傾斜角度Ｂを検出するセンサで構成される。前席シート傾斜角度検出部１２は、制御部１９に接続する。前席シート傾斜角度検出部１２は、検出した前席シートの背もたれの傾斜角度Ｂのデータを制御部１９に出力する。
【００１４】
後席シート位置検出部１３は、後席シートについてあらかじめ設定された初期位置から前後にスライドした移動距離を示すスライド位置Ｃを検出するセンサで構成される。本実施の形態のスライド位置Ｃでは、あらかじめ設定された初期位置から前方にスライドした場合の位置が負の値として、後方にスライドした場合の位置が正の値として規定されている。後席シート位置検出部１３は、制御部１９に接続する。後席シート位置検出部１３は、検出した後席シートのスライド位置Ｃのデータを制御部１９に出力する。
【００１５】
後席シート傾斜角度検出部１４は、後席シートの背もたれを倒す前の初期位置から後方に倒したときの傾斜角度Ｄを検出するセンサで構成される。後席シート傾斜角度検出部１４は、制御部１９に接続する。後席シート傾斜角度検出部１４は、検出した後席シートの背もたれの傾斜角度Ｄのデータを制御部１９に出力する。
【００１６】
ヘッドレスト位置検出部１５は、前席のヘッドレストをあらかじめ設定された初期位置から前後にスライドした移動距離を示すスライド位置Ｅを検出するセンサで構成される。本実施の形態のスライド位置Ｅでは、あらかじめ設定された初期位置から前方にスライドした場合の位置が負の値として、後方にスライドした場合の位置が正の値として規定されている。ヘッドレスト位置検出部１５は、制御部１９に接続する。ヘッドレスト位置検出部１５は、検出した前席のヘッドレストのスライド位置Ｅのデータを制御部１９に出力する。
【００１７】
ヘッドレスト傾斜角度検出部１６は、ヘッドレストを倒す前の初期位置から前後に倒したときの傾斜角度Ｆを検出するセンサで構成される。本実施の形態の傾斜角度Ｆでは、あらかじめ設定された初期位置から前方に傾斜した場合の傾斜角度が負の値として、後方に傾斜した場合の傾斜角度が正の値として規定されている。後席シート傾斜角度検出部１４は、制御部１９に接続する。後席シート傾斜角度検出部１４は、検出した後席シートの背もたれの傾斜角度Ｄのデータを制御部１９に出力する。
【００１８】
記憶部１７は、ＨＤＤ（Ｈａｒｄ  Ｄｉｓｋ  Ｄｒｉｖｅ）やＤＶＤ（Ｄｉｇｉｔａｌ
Ｖｅｒｓａｔｉｌｅ  Ｄｉｓｋ）や不揮発性メモリで構成される。記憶部１７には、前席シート位置検出部１１と、前席シート傾斜角度検出部１２と、後席シート位置検出部１３と、後席シート傾斜角度検出部１４と、ヘッドレスト位置検出部１５と、ヘッドレスト傾斜角度検出部１６と、ディスプレイ角度調整との対応関係があらかじめ規定されたテーブルが記憶されている。記憶部１７は、制御部１９と接続する。記憶部１７は、制御部１９からの命令に従って、このテーブル情報を制御部１９に出力する。なお、記憶部１７は、ユーザ毎、車種毎に複数のテーブルを記憶してもよい。
【００１９】
設定操作部１８は、タッチパネルや操作釦で構成される。設定操作部１８は、制御部１９と接続する。設定操作部１８は、ユーザの操作入力に従い、ユーザの慎重などの個人情報を制御部１９に出力する。
【００２０】
制御部１９は、ＣＰＵやＲＡＭで構成される。制御部１９は、前席シート位置検出部１１と、前席シート傾斜角度検出部１２と、後席シート位置検出部１３と、後席シート傾斜角度検出部１４と、ヘッドレスト位置検出部１５と、ヘッドレスト傾斜角度検出部１６と、記憶部１７と、設定操作部１８と、ディスプレイ角度調整機構２０と接続する。制御部１９は、設定操作部１８によって入力されたユーザの個人情報に従って、記憶部１７からいずれのテーブル情報を用いるか決定する。そして、制御部１９は、このテーブル情報を参照して、前席シート位置検出部１１と、前席シート傾斜角度検出部１２と、後席シート位置検出部１３と、後席シート傾斜角度検出部１４と、ヘッドレスト位置検出部１５と、ヘッドレスト傾斜角度検出部１６とから入力された情報からディスプレイの調整角度を決定する。
【００２１】
ディスプレイ角度調整機構２０は、駆動モータで構成される。ディスプレイ角度調整機構２０は、制御部１９と接続する。ディスプレイ角度調整機構２０は、制御部１９からの入力されたディスプレイの調整角度の情報に従って、前席後部に搭載されたディスプレイの傾きを調整する。なお、この傾きは、前席の背もたれを傾けるときの中心軸と同じ軸を中心軸とした傾きを意味する。
【００２２】
次にシートバックディスプレイ角度制御装置の動作について説明する。
【００２３】
図２は、発明の第１の実施の形態における要部であるシートバックディスプレイ角度制御装置の動作を説明するフローチャート図である。
【００２４】
まず、ステップＳ１１に示すように、前席シート位置検出部１１がスライド位置Ａを検出し、前席シート傾斜角度検出部１２が傾斜角度Ｂを検出し、後席シート位置検出部１３がスライド位置Ｃを検出し、後席シート傾斜角度検出部１４が傾斜角度Ｂを検出し、ヘッドレスト位置検出部１５がスライド位置Ｅを検出し、ヘッドレスト傾斜角度検出部１６が傾斜角度Ｆを検出する。
【００２５】
次に、ステップＳ１２に示すように、制御部１９は、記憶部１７に記憶されたテーブル情報を参照する。
【００２６】
次に、ステップＳ１３に示すように、制御部１９は、スライド位置Ａ、Ｃ、Ｅと、傾斜角度Ｂ、Ｄ、Ｆに対応付けられた調整角度の情報をこのテーブル情報から読み出してディスプレイの調整角度を決定する。
【００２７】
そして、ステップＳ１４に示すように、制御部１９は、この決定した調整角度の情報をディスプレイ角度調整機構２０に出力する。そして、ディスプレイ角度調整機構２０は、入力された調整角度の情報に従い、ディスプレイの角度を調整する。
【００２８】
このように、前後席のシート位置及びシート傾斜角度と前席のヘッドレストの位置と傾斜角度の検出情報に基づいて、制御部１９がこれらの検出情報に対応付けられたテーブル情報を参照してディスプレイ調整角度を決定し、ディスプレイ角度調整機構２０を制御することにより、前後席のシート位置及びシート傾斜角度や前席のヘッドレストの位置及び傾斜角度が変更された場合でも、ユーザの操作なしで後部座席の乗員にとって映像を見易くなるようディスプレイの角度を調整することができる。また、後席着座時の視点位置が大きく異なる乗員に対しても（例えば、大人と子供）映像を見易くなるようディスプレイの角度を調整することができる。
【００２９】
なお、本実施の形態では、記憶部１７に複数のテーブル情報を記憶して、設定操作部１８によりユーザがテーブル情報を選択できる例について説明したが、記憶部１７に記憶されるテーブル情報は一つでもよい。そして、本実施形態のシートバックディスプレイ角度制御装置１は、設定操作部１８を有さなくてもよい。この場合、ユーザが記憶部１７に記憶されたテーブル情報を選択するために操作をする必要なしに、ディスプレイの角度を後部座席の乗員にとって映像を見易い角度にすることが可能である。
【００３０】
また、本実施の形態では、制御部１９の処理速度向上のため、記憶部１７に記憶したテーブル情報を用いたが、予めプログラムされた計算式にスライド位置Ａ、Ｃ、Ｅや傾斜角度Ｂ、Ｄ、Ｆの情報を代入してディスプレイの調整角度を算出してもよい。この場合、より調整角度を正確にすることができる。
【００３１】
また、本実施の形態では、シートバックディスプレイ角度制御装置１が、ディスプレイ制御角度を決定するためのパラメータを検出するための検出部として、前席シート位置検出部１１、前席シート傾斜角度検出部１２、後席シート位置検出部１３、後席シート傾斜角度検出部１４、ヘッドレスト位置検出部１５、ヘッドレスト角度検出部１６を有する例について説明したが、複数の検出部を有していれば、全ての検出部を有していなくてもよい。例えば、シートバックディスプレイ角度制御装置１は、前席シート位置検出部１１、前席シート傾斜角度検出部１２のみを有する場合、または前席シート位置検出部１１、前席シート傾斜角度検出部１２、後席シート位置検出部１３、後席シート傾斜角度検出部１４のみを有する場合、または前席シート位置検出部１１、前席シート傾斜角度検出部１２、ヘッドレスト位置検出部１５、ヘッドレスト角度検出部１６のみを有する場合であってもよい。
（第２の実施の形態）
次に、本発明の第２の実施の形態のシートバックディスプレイ角度制御装置について図面を用いて説明する。第２の実施の形態では、第１の実施の形態と同様の構成について詳細な説明を省略する。
【００３２】
図３は、発明の第２の実施の形態における要部であるシートバックディスプレイ角度制御装置の構成を示すブロック図である。  図３のシートバックディスプレイ角度制御装置２は、上述した第１の実施の形態の図１に示すシートバックディスプレイ角度制御装置１の構成に加え、パーキングブレーキ信号検出部２１と、シートベルト着用検出部２２と、
ディスプレイ部２３と、ディスプレイ電源２４とを備える。
【００３３】
パーキングブレーキ信号検出部２１は、センサで構成され、前席側に設けられたサイドブレーキと連動しパーキングブレーキ信号を検出する。パーキングブレーキ信号検出部２１は、制御部１９と接続し、制御部１９に検出したパーキングブレーキ信号を出力する。
【００３４】
シートベルト着用検出部２２は、センサで構成され、後席側のユーザの後席シートベルトの着用有無を検出する。シートベルト着用検出部２２は、制御部１９と接続し、制御部１９に検出した後席側のユーザの後席シートベルトの着用有無の情報を出力する。
【００３５】
ディスプレイ２３は、液晶ディスプレイで構成され、映像やどの各種情報を表示する。ディスプレイ２３は、制御部１９、ディスプレイ角度調整機構２０と接続する。ディスプレイ２３は、制御部１９からの命令に従って表示内容を切り替え、ディスプレイ角度調整機構２０により角度調整される。
【００３６】
ディスプレイ電源２４は、バッテリなどの電源で構成される。ディスプレイ電源２４は、制御部１９、ディスプレイ２３と接続し、制御部１９からの命令に従って、ディスプレイ２３に電力を供給する。
【００３７】
次に、シートバックディスプレイ角度制御装置の動作について説明する。
【００３８】
図４は、発明の第２の実施の形態における要部であるシートバックディスプレイ角度制御装置の動作を説明するフローチャート図である。  まず、ステップＳ２１に示すように、ディスプレイ電源２４がＯＮ入力される。
【００３９】
次に、ステップＳ２２に示すように、ディスプレイ電源２４がＯＮになる。
【００４０】
次に、ステップＳ２３に示すように、制御部１９は、パーキングブレーキ検出部２１から入力されたパーキングブレーキ信号に基づいてパーキングブレーキが作動しているか否かを判定する。
【００４１】
ステップＳ２３でＮＯの場合、換言すると、制御部１９は、パーキングブレーキが作動していないと判定した場合、ステップＳ２４に示すように、シートベルト着用検出部２２から入力された後席シートベルト着用検出信号に基づいて後席シートベルトが着用されているか否かを判定する。
【００４２】
次に、ステップＳ２４でＮＯの場合、換言すると、制御部１９は、後席シートベルトが着用されていないと判定した場合、ステップＳ２５に示すように、ディスプレイ２３にシートベルト未着用である旨の警告表示を行わせる。
【００４３】
次にステップＳ２６に示すように、所定時間経過後（例えば数秒後）、ディスプレイ電源２４をＯＦＦにする。
【００４４】
そして、ステップＳ２７に示すように、制御部１９は、ディスプレイ角度調整機構２０にディスプレイ２３の角度を初期状態に戻させる。
【００４５】
また、ステップＳ２３でＹＥＳの場合やステップＳ２４でＹＥＳの場合、換言すると、制御部１９は、パーキングブレーキが作動していると判定した場合や後席シートベルトが着用されていると判定した場合、ステップＳ２８に示すように、スライド位置Ａ、Ｃ、Ｅや、傾斜角度Ｂ、Ｄ、Ｆと記憶部１７から選択したテーブル情報とからディスプレイ２３
の調整角度を決定し、この調整角度でディスプレイ角度調整機構２０にディスプレイ２３を調整させる。
【００４６】
以上のように本発明の第２の実施の形態におけるシートバックディスプレイ角度制御装置２によれば、制御部１９が、シートベルト検出部２２により検出された後席シートベルト着用検出信号に基づいてディスプレイ角度調整機構２０及びディスプレイ電源２４を制御するため、後部座席乗員の安全性を高めることができる。具体的には、制御部１９は、車両走行中に後部座席乗員がシートベルトを着用していないと判定した場合に、ディスプレイ２３にシートベルト未着用である旨を表示させて、シートベルトの着用を後部座席乗員に促すので、後部座席乗員の安全性を高めることができる。また、制御部１９は、所定時間経過後にはディスプレイ電源２４をＯＦＦにして、ディスプレイ角度調整機構２０にディスプレイ２３を初期状態の角度に戻させるので、ディスプレイ２３が前席シート後部から突出しなくなり、後部座席乗員がシートベルト未着用の間に急ブレーキなどで突出したディスプレイ２３に衝突することを防止することができる。
【産業上の利用可能性】
【００４７】
以上のように、本発明にかかるシートバックディスプレイ角度制御装置は、自動車の前席シート後部に取り付けられたディスプレイを後部座席乗員にとって見やすく調整するシートバックディスプレイ角度制御装置等として有用である。
【符号の説明】
【００４８】
１  シートバックディスプレイ角度制御装置
１１  前席シート位置検出部
１２  前席シート傾斜角度検出部
１９  制御部
２０  ディスプレイ角度調整機構
【図１】
2011020538.tif 000003
【図２】
2011020538.tif 000004
【図３】
2011020538.tif 000005
【図４】
2011020538.tif 000006